【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
シリンダおよびクランクシャフト支持部を有するケーシングと、
前記シリンダの軸に沿って往復運動をするための、前記シリンダにスライド可能に配置されるピストンと、
前記クランクシャフト支持部において回転自在に支持される主ベアリングジャーナルと、前記主ベアリングジャーナルの軸から半径方向にずらして配置されるクランクピンと、前記主ベアリングジャーナルおよび前記クランクピンを接続するクランクウェブとを有するクランクシャフトと、
マルチ連結接続ロッド機構であって、
前記ピストンに接続される第１の端部と、前記第１の端部の反対側の第２の端部とを含み、前記ピストンと共に往復運動をするための接続ロッドと、
前記接続ロッドの第２の端部に枢動自在に接続される第１の端部と、前記クランクピンに回転自在に接続される第２の端部とを含むクランクピン連結部と、
を有する、マルチ連結接続ロッド機構と、
鉛直方向のピストン力を水平方向のクランクピン力へと伝達すべく、前記マルチ連結接続ロッド機構を前記ケーシングに接続する力伝達機構と、
を備え、
前記マルチ連結接続ロッド機構は、第１の歯付き部を有し、前記力伝達機構は、前記接続ロッドが往復運動をするとき、前記マルチ連結接続ロッド機構が前記力伝達機構に対して枢動するように、前記第１の歯付き部と係合する第２の歯付き部を有する、
流体流機械。
【請求項２】
シリンダおよびクランクシャフト支持部を有するケーシングと、
前記シリンダの軸に沿って往復運動をするための、前記シリンダにスライド可能に配置されるピストンと、
前記クランクシャフト支持部において回転自在に支持される主ベアリングジャーナルと、前記主ベアリングジャーナルの軸から半径方向にずらして配置されるクランクピンと、前記主ベアリングジャーナルおよび前記クランクピンを接続するクランクウェブとを有するクランクシャフトと、
前記ピストンに接続される第１の端部と、前記クランクピンに回転自在に接続される第２の端部とを有するマルチ連結接続ロッド機構と、
鉛直方向のピストン力を水平方向のクランクピン力へと伝達すべく、前記マルチ連結接続ロッド機構を前記ケーシングに接続する力伝達機構と、
を備え、
前記マルチ連結接続ロッド機構は、第１の歯付き部を有し、前記力伝達機構は、前記マルチ連結接続ロッド機構が前記力伝達機構に対して枢動するように、前記第１の歯付き部と係合する第２の歯付き部を有する、
流体流機械。
【請求項３】
前記力伝達機構に対する前記マルチ連結接続ロッド機構の枢動の範囲全体にわたって前記第１の歯付き部を前記第２の歯付き部との係合状態に維持すべく、前記マルチ連結接続ロッド機構と前記力伝達機構との間に接続される保持機構を更に備える、請求項１または２に記載の流体流機械。
【請求項４】
前記第１の歯付き部および前記第２の歯付き部のうちの一方は、湾曲した非円形歯車であり、前記第１の歯付き部および前記第２の歯付き部のうちの他方は、ラック歯車である、請求項３に記載の流体流機械。
【請求項５】
前記保持機構は、第１の端部および第２の端部を有する少なくとも１つの側面プレートを有し、前記少なくとも１つの側面プレートは前記マルチ連結接続ロッド機構および前記力伝達機構のうちの一方に前記第１の端部において取り付けられ、前記少なくとも１つの側面プレートは、前記第２の端部において配置される溝を含み、前記マルチ連結接続ロッド機構および前記力伝達機構のうちの他方は、前記溝と係合するピンを含む、請求項３または４に記載の流体流機械。
【請求項６】
前記少なくとも１つの側面プレートは、前記第２の端部において配置される一対の間隔の空いた溝を含み、前記マルチ連結接続ロッド機構および前記力伝達機構のうちの他方は、それぞれ前記一対の間隔の空いた溝と係合する一対のピンを有し、前記少なくとも１つの側面プレートは、前記マルチ連結接続ロッド機構に前記第１の端部においてしっかりと取り付けられ、前記力伝達機構は、前記一対のピンを有する、
請求項５に記載の流体流機械。
【請求項７】
前記力伝達機構の第１の端部を前記ケーシングに接続する移動ピボット点機構であって、前記力伝達機構の第１の端部が接続されている可動マウントを有する、移動ピボット点機構をさらに備える、請求項５または６に記載の流体流機械。
【請求項８】
前記可動マウントは、可動マウント軸の周りを枢動すべく前記ケーシングに枢動自在に接続され、前記可動マウントは、前記力伝達機構に接続される枢動するピボット連結接続部であって、前記可動マウント軸の周りの前記可動マウントの枢動が前記ピボット連結接続部を弓状案内通路に沿って移動させるように、前記可動マウント軸の半径方向外側に配置される、枢動するピボット連結接続部を含む、請求項７に記載の流体流機械。
【請求項９】
前記可動マウント軸の周りの前記可動マウントの枢動が、前記ピボット連結接続部を弓状案内通路に沿って移動させ、前記可動マウントは、前記可動マウント軸を挟んで前記ピボット連結接続部の反対側にあるカウンタバランス部を含む、請求項８に記載の流体流機械。
【請求項１０】
シリンダおよびクランクシャフト支持部を有するケーシングと、
前記シリンダの軸に沿って往復運動をするための、前記シリンダにスライド可能に配置されるピストンと、
前記クランクシャフト支持部において回転自在に支持される主ベアリングジャーナルと、前記主ベアリングジャーナルの軸から半径方向にずらして配置されるクランクピンと、前記主ベアリングジャーナルおよび前記クランクピンを接続するクランクウェブとを有するクランクシャフトと、
マルチ連結接続ロッド機構であって、
前記ピストンに接続される第１の端部と、前記第１の端部の反対側の第２の端部とを含み、前記ピストンと共に往復運動をするための接続ロッドと、
前記接続ロッドの第２の端部に枢動自在に接続される第１の端部と、前記クランクピンに回転自在に接続される第２の端部とを含むクランクピン連結部と、
を有する、マルチ連結接続ロッド機構と、
鉛直方向のピストン力を水平方向のクランクピン力へと伝達すべく、前記マルチ連結接続ロッド機構を前記ケーシングに接続する力伝達機構であって、前記ケーシングに枢動自在に接続される第１の端部と、前記マルチ連結接続ロッド機構に枢動自在に接続される第２の端部とを含むピボット連結部を有する、力伝達機構と、
前記ピボット連結部の第１の端部を前記ケーシングに接続する移動ピボット点機構であって、
前記ピボット連結部の第１の端部が接続されている可動マウントと、
前記可動マウントの動きを制御するための動き制御機構であって、前記可動マウントが、前記ピストンの動きの第１の部分の間、前記マルチ連結接続ロッド機構から離れる方向に案内通路に沿って移動することを可能にし、次に、前記可動マウントが、前記ピストンのアップストロークの間、前記ピストンの動きの後の第２の部分において、前記マルチ連結接続ロッド機構に向かう方向に前記案内通路に沿って移動することを可能にする、動き制御機構と、
を有する移動ピボット点機構と、
を備える、流体流機械。
【請求項１１】
シリンダおよびクランクシャフト支持部を有するケーシングと、
前記シリンダの軸に沿って往復運動をするための、前記シリンダにスライド可能に配置されるピストンと、
前記クランクシャフト支持部において回転自在に支持される主ベアリングジャーナルと、前記主ベアリングジャーナルの軸から半径方向にずらして配置されるクランクピンと、前記主ベアリングジャーナルおよび前記クランクピンを接続するクランクウェブとを有するクランクシャフトと、
前記ピストンに接続される第１の端部と、前記クランクピンに回転自在に接続される第２の端部とを有するマルチ連結接続ロッド機構と、
鉛直方向のピストン力を水平方向のクランクピン力へと伝達すべく、前記マルチ連結接続ロッド機構を前記ケーシングに接続する力伝達機構であって、前記ケーシングに枢動自在に接続される第１の端部と、前記マルチ連結接続ロッド機構に枢動自在に接続される第２の端部とを含むピボット連結部を有する、力伝達機構と、
前記ピボット連結部の第１の端部を前記ケーシングに接続する移動ピボット点機構であって、
前記ピボット連結部の第１の端部が接続されている可動マウントと、
前記可動マウントの動きを制御するための動き制御機構であって、前記可動マウントが、前記ピストンの動きの第１の部分の間、前記マルチ連結接続ロッド機構から離れる方向に案内通路に沿って移動することを可能にし、次に、前記可動マウントが、前記ピストンのアップストロークの間、前記ピストンの動きの後の第２の部分において、前記マルチ連結接続ロッド機構に向かう方向に前記案内通路に沿って移動することを可能にする、動き制御機構と、
を有する移動ピボット点機構と、
を備える、流体流機械。
【請求項１２】
前記可動マウントは、可動マウント軸の周りを枢動すべく前記ケーシングに枢動自在に接続され、前記可動マウントは、前記ピボット連結部の第１の端部に接続される枢動するピボット連結接続部であって、前記可動マウント軸の周りの前記可動マウントの枢動が前記ピボット連結接続部を弓状案内通路に沿って移動させるように、前記可動マウント軸の半径方向外側に配置される、枢動するピボット連結接続部を含む、請求項１０または１１に記載の流体流機械。
【請求項１３】
前記動き制御機構は、
前記クランクシャフトによって駆動され、第１のカム通路を含む第１のカム機構と、
前記第１のカム通路が前記可動マウントの前記動きを制御することを可能にすべく、前記第１のカム通路と前記可動マウントとの間に動作可能に接続される動き制御連結部と、
を含む、請求項１２に記載の流体流機械。
【請求項１４】
前記マルチ連結接続ロッド機構は、第１の歯付き部を有し、前記ピボット連結部の第２の端部は、前記第１の歯付き部と係合する第２の歯付き部を有し、前記第１の歯付き部と前記第２の歯付き部との間の前記係合は、前記接続ロッドが往復運動をするとき、前記マルチ連結接続ロッド機構が前記ピボット連結部に対して枢動することを可能にする、請求項１０に記載の流体流機械。
【請求項１５】
前記ピボット連結部に対する前記マルチ連結接続ロッド機構の枢動の範囲全体にわたって前記第１の歯付き部を前記第２の歯付き部との係合状態に維持すべく、前記マルチ連結接続ロッド機構と前記ピボット連結部との間に接続される保持機構を更に備える、請求項１４に記載の流体流機械。
【請求項１６】
前記第１の歯付き部および前記第２の歯付き部のうちの一方は、湾曲した非円形歯車であり、前記第１の歯付き部および前記第２の歯付き部のうちの他方は、ラック歯車である、請求項１５に記載の流体流機械。
【請求項１７】
前記保持機構は、第１の端部および第２の端部を含む少なくとも１つの側面プレートを有し、前記少なくとも１つの側面プレートは、前記マルチ連結接続ロッド機構および前記ピボット連結部のうちの一方に前記第１の端部において取り付けられ、前記少なくとも１つの側面プレートは、前記第２の端部において配置される溝を含み、前記マルチ連結接続ロッド機構および前記ピボット連結部のうちの他方は、前記溝と係合するピンを有する、請求項１６に記載の流体流機械。
【請求項１８】
前記少なくとも１つの側面プレートは、前記第２の端部において配置される一対の間隔の空いた溝を含み、前記マルチ連結接続ロッド機構および前記力伝達機構のうちの他方は、それぞれ前記一対の間隔の空いた溝と係合する一対のピンを有し、前記少なくとも１つの側面プレートは、前記マルチ連結接続ロッド機構に前記第１の端部においてしっかりと取り付けられ、前記ピボット連結部は、前記一対のピンを含む、請求項１７に記載の流体流機械。
【請求項１９】
前記ラック歯車は、前記接続ロッドの主スラスト側に配置され、前記ピボット連結部の第１の端部は、前記接続ロッドの前記主スラスト側の前記ケーシングに枢動自在に接続される、請求項１８に記載の流体流機械。
【請求項２０】
前記動き制御連結部は、前記ピストンの前記アップストロークの前記第２の部分において前記マルチ連結接続ロッド機構に向かう方向に前記案内通路に沿って前記可動マウントを移動させる、請求項１９に記載の流体流機械。
【請求項２１】
前記可動マウント軸の周りの前記可動マウントの枢動が、前記ピボット連結接続部を弓状案内通路に沿って移動させ、前記可動マウントは、前記可動マウント軸を挟んで前記ピボット連結接続部の反対側にあるカウンタバランス部を含む、請求項１２または１３に記載の流体流機械。
【請求項２２】
流体流機械であって、
シリンダおよびクランクシャフト支持部を有するケーシングと、
前記シリンダの軸に沿って往復運動をするための、前記シリンダにスライド可能に配置されるピストンと、
前記クランクシャフト支持部において回転自在に支持される主ベアリングジャーナルと、前記主ベアリングジャーナルの軸から半径方向にずらして配置されるクランクピンと、前記主ベアリングジャーナルおよび前記クランクピンを接続するクランクウェブとを有するクランクシャフトと、
マルチ連結接続ロッド機構であって、
前記ピストンに接続される第１の端部と、前記第１の端部の反対側の第２の端部とを含み、前記ピストンと共に往復運動をするための接続ロッドと、
前記接続ロッドの第２の端部に枢動自在に接続される第１の端部と、前記クランクピンに回転自在に接続される第２の端部とを含むクランクピン連結部と、
を有する、マルチ連結接続ロッド機構と、
鉛直方向のピストン力を水平方向のクランクピン力へと伝達すべく、前記マルチ連結接続ロッド機構を前記ケーシングに接続する力伝達機構と、
を備え、
前記マルチ連結接続ロッド機構は、第１の係合面を有し、前記力伝達機構は、前記接続ロッドが往復運動をするとき、前記マルチ連結接続ロッド機構が前記力伝達機構に対して枢動するように、前記第１の係合面と係合する第２の係合面を有し、
前記流体流機械は、前記力伝達機構に対する前記マルチ連結接続ロッド機構の枢動の範囲全体にわたって前記第１の係合面を前記第２の係合面との係合状態に維持すべく、前記マルチ連結接続ロッド機構と前記力伝達機構との間に接続される保持機構を備える、
流体流機械。
【請求項２３】
流体流機械であって、
シリンダおよびクランクシャフト支持部を有するケーシングと、
前記シリンダの軸に沿って往復運動をするための、前記シリンダにスライド可能に配置されるピストンと、
前記クランクシャフト支持部において回転自在に支持される主ベアリングジャーナルと、前記主ベアリングジャーナルの軸から半径方向にずらして配置されるクランクピンと、前記主ベアリングジャーナルおよび前記クランクピンを接続するクランクウェブとを有するクランクシャフトと、
前記ピストンに接続される第１の端部と、前記クランクピンに回転自在に接続される第２の端部とを有するマルチ連結接続ロッド機構と、
鉛直方向のピストン力を水平方向のクランクピン力へと伝達すべく、前記マルチ連結接続ロッド機構を前記ケーシングに接続する力伝達機構と、
を備え、
前記マルチ連結接続ロッド機構は、第１の係合面を有し、前記力伝達機構は、前記マルチ連結接続ロッド機構が前記力伝達機構に対して枢動するように、前記第１の係合面と係合する第２の係合面を有し、
前記流体流機械は、前記力伝達機構に対する前記マルチ連結接続ロッド機構の枢動の範囲全体にわたって前記第１の係合面を前記第２の係合面との係合状態に維持すべく、前記マルチ連結接続ロッド機構と前記力伝達機構との間に接続される保持機構を備える、
流体流機械。
【請求項２４】
前記保持機構は、第１の端部および第２の端部を含む少なくとも１つの側面プレートを有し、前記少なくとも１つの側面プレートは、前記マルチ連結接続ロッド機構および前記力伝達機構のうちの一方に前記第１の端部において取り付けられ、前記少なくとも１つの側面プレートは、前記第２の端部において配置される溝を含み、前記マルチ連結接続ロッド機構および前記力伝達機構のうちの他方は、前記溝と係合するピンを有する、請求項２２または２３に記載の流体流機械。
【請求項２５】
前記第１の係合面および前記第２の係合面のうちの一方は、湾曲した非円形の構造に配置され、前記第１の係合面および前記第２の係合面のうちの他方は、線形の構造に配置される、請求項２４に記載の流体流機械。
【請求項２６】
前記少なくとも１つの側面プレートは、前記第２の端部において配置される一対の間隔の空いた溝を含み、前記マルチ連結接続ロッド機構および前記力伝達機構のうちの他方は、それぞれ前記一対の間隔の空いた溝と係合する一対のピンを有し、前記少なくとも１つの側面プレートは、前記マルチ連結接続ロッド機構に前記第１の端部においてしっかりと取り付けられ、前記力伝達機構は、前記一対のピンを含む、請求項２５に記載の流体流機械。
【請求項２７】
前記マルチ連結接続ロッド機構は、
前記ピストンに接続される第１の端部と、前記第１の端部の反対側の第２の端部を含み、前記ピストンと共に往復運動をするための接続ロッドと、
第１のヒンジ連結部であって、前記接続ロッドの第２の端部に枢動自在に接続される第１の端部と、前記第１のヒンジ連結部の第１の端部の反対側の第２の端部とを含む、第１のヒンジ連結部と、
前記第１のヒンジ連結部の第２の端部に枢動自在に接続される第１の端部と、前記クランクピンに回転自在に接続される第２の端部とを含むクランクピン連結部と、
をさらに有する、請求項２、１１および２３の何れか一項に記載の流体流機械。